(57)【要約】 【課題】  本発明の巻取機構によれば、嵩張らないように巻取ロールに硬く巻き取ることができる。【解決手段】巻取ロール（４）に対向するように配置された補助ロール（１０）の回転軸（５０）は、巻取ロールの回転軸（３４）に対して傾斜可能且つ離隔する方向に移動可能に支持され、補助ロールの外周面と巻取ロールの外周面とで帯状体（１００）を挟持している．【選択図】        図１
2005154030.tif 000002
【特許請求の範囲】
【請求項１】
帯状体を巻き取る巻取ロールと、帯状体を供給する供給ロールと、該巻取ロールと該供給ロールとの間に架け渡された帯状体に張力を与えるテンションロールとを備えた帯状体巻取機構において、
該巻取ロールに対向するように配置された補助ロールの回転軸は、該巻取ロールの回転軸に対して傾斜可能且つ離隔する方向に移動可能に支持され、該補助ロールの外周面と該巻取ロールの外周面とで帯状体を挟持している、
ことを特徴とする巻取機構。
【請求項２】
該補助ロールの該回転軸は、該巻取ロールの該回転軸に対して傾斜可能且つ離隔する方向に旋回可能に支持アームを介して支持されている、請求項１記載の巻取機構。
【請求項３】
該帯状体は使用済みトナーリボンである、請求項１又は２記載の巻取機構。
【発明の詳細な説明】
【技術分野】
【０００１】
本発明は、帯状体を巻き取る巻取機構、更に詳しく比較的薄い幅広な帯状体を巻き取る巻取機構に関する。
【背景技術】
【０００２】
従来より、帯状体を巻き取りの初めから終わりまで緩み無く巻き取るための巻取機構が実用に供されている。かかる巻取機構の典型例を開示している先行文献としては、下記特許文献１を挙げることができる。この巻取機構は、帯状体を巻き取る巻取ロールと、帯状体を供給する供給ロールと、帯状体を巻取ロールへ搬送し帯状体の送り量を規定する搬送手段と、該巻取ロールと該供給ロールとの間に架け渡された帯状体に張力を与えるテンションロールと、搬送手段から巻取ロールまでの帯状体搬送経路上に帯状体の張力に応じて軸位置が移動する張力測定ロールと、張力測定ロールの軸位置を検出する軸位置検出手段と、軸位置検出手段で検出された軸位置に応じて巻取ロールのトルクの大きさを制御するトルク制御手段とを備えている。かように構成された巻取機構においては、搬送手段と巻取ロールの間の帯状体に掛かっている張力の強弱を、張力測定ロール及び張力測定ロールの軸位置を検出する軸位置検出手段によって測定し、巻取ロール手段のトルクを適正張力に近づける方向にトルク制御手段が調整するので、帯状体の張力を常に適正値に保って巻き取っている。
【特許文献１】特開平１０−１４７４６２号公報
【発明の開示】
【発明が解決しようとする課題】
【０００３】
しかしながら、上述された巻取機構においては、ロール間の平行精度、ロールの真円柱度、及び／或いは帯状体の長手方向における伸縮率が帯状体の幅方向位置によって差異があることに起因して、巻取ロールと供給ロールとの間に架け渡された帯状体へ付加される張力が帯状体の幅方向位置において不均一となり、巻取ロールに巻き取られた帯状体の間に空気層が残留し、巻き取られた帯状体にシワが発生する虞がある。
【０００４】
本発明は上記事実に鑑みてなされたものであり、その主たる技術課題は帯状体を嵩張らないように巻取ロールに硬く巻き取ると共に、巻き取られた帯状体にシワが発生するのを防止することができる、新規且つ改良された帯状体巻取機構を提供することである。
【課題を解決するための手段】
【０００５】
本発明者等は、鋭意研究の結果、巻取ロールに対向するように配置された補助ロールの回転軸を、巻取ロールの回転軸に対して傾斜可能且つ離隔する方向に移動可能に支持して、補助ロールの外周面と巻取ロールの外周面とで帯状体を挟持することによって上記主たる技術課題を達成することができることを見出した。
【０００６】
即ち、本発明によれば、上記主たる技術課題を解決する巻取機構として、帯状体を巻き取る巻取ロールと、帯状体を供給する供給ロールと、該巻取ロールと該供給ロールとの間に架け渡された帯状体に張力を与えるテンションロールとを備えた帯状体巻取機構において、
該巻取ロールに対向するように配置された補助ロールの回転軸は、該巻取ロールの回転軸に対して傾斜可能且つ離隔する方向に移動可能に支持され、該補助ロールの外周面と該巻取ロールの外周面とで帯状体を挟持している、
ことを特徴とする巻取機構が提供される。
【０００７】
該補助ロールの該回転軸は、該巻取ロールの回転軸に対して傾斜可能且つ離隔する方向に旋回可能に支持アームを介して支持されているのが好適である。好ましくは、該帯状体は使用済みトナーリボンである。
【発明の効果】
【０００８】
本発明の巻取機構においては、ロール同士が完全な平行でないこと、ロールが真円柱でないこと、及び／或いは帯状体の長手方向における伸縮率が帯状体の幅方向位置によって差異が存在すること等があっても、補助ロールの回転軸が巻取ロールの回転軸に対して傾斜可能且つ離隔する方向に移動可能に支持され、補助ロールの外周面と巻取ロールの外周面とで帯状体を挟持していることにより巻取ロールに巻き取られる帯状体の間から空気層が排出されて、巻き取られた帯状体にシワが発生するのを防止することができる。
【発明を実施するための最良の形態】
【０００９】
以下、添付図面を参照して、本発明にかかる巻取機構の好適実施形態について更に詳述する。
【００１０】
図１と共に図２及び図３には、本発明に従がって構成された巻取機構が図示されている。図示の実施形態においては、全体を番号２で示す巻取機構は、台座３と、帯状体１００を巻き取る巻取ロール４と、帯状体１００を供給する供給ロール６と、巻取ロール４と供給ロール６との間に架け渡された帯状体１００に張力を与えるテンションロール８と、巻取ロール４に対して対向するように配置された補助ロール１０と、巻取ロール４を駆動する複数個（図３においては２個）駆動手段１２及び１４と、供給ロール６を制動する制動手段１６と、巻取ロール４に駆動手段１２及び１４の動力を伝える複数個（図３においては３個）の動力伝達手段１８、２０及び２２と、供給ロール６に制動手段１６の制動力を伝える複数個（図３においては２個）の制動力伝達手段２４及び２６とを備えている（図１及び図２では駆動手段１２及び１４と、制動手段１６と、動力伝達手段１８、２０及び２２と、制動力伝達手段２４及び２６とは図示されていない。）上述されたように構成された巻取機構２によって巻き取られる帯状体１００は使用済みインクリボンでよい。
【００１１】
台座３は、第一の板状部材２８、第二の板状部材３０、及び第三の板状部材３２から構成されており、これらは夫々ハウジング（図示していない）の中に配設されている。第一の板状部材２８及び第二の板状部材３０にはテンションロール８に対して略平行な第一の連結棒３１が付設されており、第一の板状部材２８及び第三の板状部材３２には第一の連結棒３１に対して略平行な第二の連結棒３３が付設されている。また、第三板状部材３２は、第二の板状部材３０との隙間Dを調整できるようにハウジング（図示していない）の中に固定されている。巻取ロール４の回転軸３４は、第一の板状部材２８及び第三の板状部材３２の夫々に形成された軸受け部３６で支持されている。そして、巻取ロール４の回転軸３４には動力伝達手段１８が取り付けられており、かかる動力伝達手段１８は駆動手段１２の動力伝達手段２０と駆動手段１４の動力伝達手段２２とに噛み合わされている。供給ロール６の回転軸３８は、第一の板状部材２８及び第二の板状部材３０の夫々に形成された軸受け部４０で支持されている。そして、供給ロール６の回転軸３８には制動力伝達手段２４が取り付けられており、かかる制動力伝達手段２４は制動手段１６の制動力伝達手段２６と噛み合わされている。巻取ロール４は、上述した隙間Dを調整することによって供給ロール６に対する平行精度を調整することもできる。テンションロール８の回転軸４２は、支持手段４４を介して台座３の第一の板状部材２８及び第二の板状部材３０に支持されており、矢印４６で示す方向に第一の支持ピン４８を支点として旋回可能に支持されている。図示の実施形態の補助ロール１０の回転軸５０は、支持アーム５２を介して巻取ロール４の回転軸３４に対して傾斜可能且つ離隔する方向、即ち矢印５４で示す方向に第二の支持ピン５６を支点として旋回可能に台座２の第一の板状部材２８と第三の板状部材３２とに支持されている。
【００１２】
上述されたように構成された巻取機構により、帯状体１００を巻き取る際には、巻取ロール４と供給ロール６との間に架け渡された帯状体１００の上にテンションロール８を載置し、駆動手段１２及び１４を駆動させて巻取ロール４の回転軸３４を回転させると、テンションロール８の荷重と制動手段１６による供給ロール６への制動力とにより、帯状体１００は張力を付加された状態で矢印５８で示す方向に走行され巻取ロール４に巻き取られる。本発明の巻取機構においては、ロール同士（例えば、テンションロール８と巻取ロール４と）が完全な平行でないこと、ロール（例えば、巻取ロール４）が真円柱でないこと、及び／或いは帯状体１００の長手方向における伸縮率が帯状体１００の幅方向位置によって差異が存在すること等があっても、補助ロール１０の回転軸５０が巻取ロール４の回転軸３４に対して傾斜可能且つ離隔する方向に移動可能に支持され、補助ロール１０の外周面と巻取ロール４の外周面とで帯状体１００を挟持しているが故に、帯状体１００へ付加される張力が幅方向のどの位置においても均一となり、帯状体１００が巻取ロール４に巻き取られる際に帯状体１００の間から空気層が効果的に排出されて、巻き取られた帯状体１００にシワが発生するのを防止することができる。
【図面の簡単な説明】
【００１３】
【図１】本発明にかかる巻取機構の好適実施形態を図示する斜視図。
【図２】図１の巻取機構の側面図。
【図３】図１の巻取機構の上面図。
【符号の説明】
【００１４】
２：巻取機構
４：巻取ロール
６：供給ロール
８：テンションロール
１０：補助ロール
１６：支持アーム
３４：回転軸
５０：回転軸
１００：帯状体
【図１】
2005154030.tif 000003
【図２】
2005154030.tif 000004
【図３】
2005154030.tif 000005